(57)【要約】【課題】ビデオカメラなどのビデオデータが即時に見られるビデオデータ閲覧装置を提供する。【解決手段】ビデオ画像のデータ源となるビデオカメラなどの外部ビデオ装置から送信されるビデオデータの演算を行うCPU１１と、該CPU１１に接続されて外部ビデオシグナルを処理するシグナルプロセッ１２サと、該CPU１１と接続されて該シグナルプロセッサ１２からのデータを受信するストレージコントロールユニット１３と、該CPU１１と接続されて外部ビデオシグナルを伝送する伝送ユニット１４とから構成されるビデオデータ処理装置を備え、ビデオデータを随時パソコンなどのディスプレイ装置で閲覧可能とする。【選択図】        図１
0003109368.tif 000002
【実用新案登録請求の範囲】
【請求項１】
ビデオなどの画像データをビデオカメラなどの外部ビデオ画像データ供給源から随時に選択してディスプレイ装置に表示するためのビデオデータ閲覧装置において、
各データの演算を行うCPUと、
該CPUと接続され、外部ビデオシグナルを受信及び処理するシグナルプロセッサと、
該CPUと接続され、該シグナルプロセッサからのデータを受信するストレージコントロールユニットと、
該CPUと接続され、該シグナルプロセッサが受信並びに処理した外部ビデオシグナルを該ディスプレイ装置又は該データを格納するリモートストレージ装置に伝送する該伝送ユニットと、
を具有することを特徴とするビデオデータ閲覧装置。
【請求項２】
該シグナルプロセッサにはビデオ入力装置コントロールインターフェイス及びビデオ圧縮ユニットを含むことを特徴とする請求項１記載のビデオデータ閲覧装置。
【請求項３】
ビデオデータの演算を行うCPUと、
該CPUと接続され、外部ビデオ設備から送られるビデオシグナルの受信並びに処理を行うシグナルプロセッサと、
CPUと接続され、該シグナルプロセッサからのデータを受信するストレージコントロールユニットと、
該CPUと接続され、該シグナルプロセッサが受信及び処理した後の外部ビデオシグナルを伝送する伝送ユニットと、
から構成されるビデオデータ処理装置と、
該シグナルプロセッサと接続され、ビデオデータ処理装置に対して所望のビデオシグナルを提供する外部ビデオ設備と、
該伝送ユニットと接続され、該伝送ユニットが伝送するビデオをディスプレイするディスプレイ装置と、
からなることを特徴とするビデオデータ閲覧装置。
【考案の詳細な説明】
【技術分野】
【０００１】
本考案はビデオデータ閲覧装置に係り、特にデジタルカメラやデジタルビデオカメラ、デジタルテレビ等の外部ビデオ設備に保存された、必要とするビデオデータを閲覧し、即時に見るためのビデオデータ閲覧装置に関わる。
【背景技術】
【０００２】
一般に使用者がビデオデータを閲覧しようとする際には、先ずこれらのデジタルカメラやデジタルビデオカメラ、デジタルテレビ等の外部ビデオ設備から携帯型のストレージ装置（携帯型のハードディスク等）で保存し、必要なビデオデータを読み取り、ストレージ装置中に保存されたビデオデータが随時見られるものとなっている。
【考案の開示】
【考案が解決しようとする課題】
【０００３】
上述のようなストレージ装置における欠点として、ストレージ装置中のビデオデータは随時見られるが、ビデオデータは予め保存されていなければならないといった前提があり、よって使用者が見たいときに即時にビデオデータを見ることができず、また該ストレージ装置のメモリには容量に限りがあり、コンテンツのデータ量が大きすぎると保存できないことがある。
【特許文献１】特開２００４−３１８９９１号公報  これらの欠点に鑑み、見たいビデオデータが即時に見られる本考案のビデオデータ閲覧装置を提供する。
【課題を解決するための手段】
【０００４】
本考案のビデオデータ閲覧装置は、デジタルカメラやデジタルビデオカメラ、デジタルテレビ等の外部ビデオ設備に保存されているデータをCPU、及び該CPUと接続されるシグナルプロセッサ、該CPUと接続されるストレージコントロールユニット、並びに該CPUと接続される伝送ユニットより構成されるビデオデータ処理装置によって処理し、該CPUは該装置中においてデータの演算を行なうものであり、該データプロセッサは外部のビデオシグナルの受信並びに処理を行うもの、また該ストレージコントロールユニットは該シグナルプロセッサのデータを受信するものとし、該伝送ユニットにおいては該シグナルプロセッサが受信並びに処理した後の外部ビデオシグナルを伝送するものとする。
【考案の効果】
【０００５】
本考案により、デジタルカメラやデジタルビデオカメラ、デジタルテレビ等の外部ビデオ設備から外部のストレージ装置にビデオデータが保存されていることを前提とせずとも、見たいビデオデータを即時に提供する目的が達成された。
【考案を実施するための最良の形態】
【０００６】
図１，２に示すように、本考案のビデオデータ処理装置１は、CPU１１、シグナルプロセッサ１２、ストレージコントロールユニット１３、伝送ユニット１４より構成され、外部ビデオ設備２及びディスプレイ装置３の使用者に該ビデオデータ閲覧装置１を利用して、必要とするビデオデータが閲覧できるようにするものである。
【０００７】
該CPU１１は、該ビデオデータ処理装置１中の格納データの演算を行うものであり、該シグナルプロセッサ１２は該CPU１１と接続され、該外部ビデオ設備２のビデオシグナルを受信並びに処理し、且つ該シグナルプロセッサ１２にはビデオ入力装置コントロールインターフェイス１２１及びビデオ圧縮ユニット１２２を含み、該ビデオ入力装置コントロールインターフェイス１２１は配信される外部のビデオシグナルに対しエンコーディングを行い、該ビデオ圧縮ユニット１２２は入力しようとする外部ビデオシグナルに対して圧縮を行う。
【０００８】
該ストレージコントロールユニット１３は、該CPU１１と接続され、該シグナルプロセッサ１２のデータを受信する。
【０００９】
該伝送ユニット１４は、該CPU１１と接続され該シグナルプロセッサ１２が受信及び処理後の外部ビデオシグナルを伝送し、該伝送ユニット１４は無線或いは有線方式によるものとし（図２参照）、且つ該伝送ユニット１４はリモートストレージ装置４に接続され、該リモートストレージ装置４に格納されたビデオ信号を送信する。
【００１０】
デジタルカメラやデジタルビデオカメラ、デジタルテレビ等の該外部ビデオ設備２においては、該ビデオデータ処理装置１の該シグナルプロセッサ１２と接続され、必要なビデオシグナルを提供すると共に、該外部ビデオ設備２はデジタルカメラやデジタルビデオカメラ、デジタルテレビ等のビデオ再生機能を具有する設備とする。
【００１１】
該ディスプレイ装置３は、ビデオデータ処理装置１の該伝送ユニット１４と接続され、該リモートストレージ装置４から伝送するビデオシグナルをディスプレイするものであり、且つ該ディスプレイ装置３はノートブック型パソコンや卓上パソコン、携帯電話等のビデオディスプレイ機能を具有する設備とする。
【００１２】
本考案を使用する際は、該シグナルプロセッサ１２を上述のようなデジタルカメラやデジタルビデオカメラ、及びデジタルテレビ等のビデオ再生機能を具有する外部ビデオ設備２に接続し、該外部ビデオ設備２のビデオシグナルを該シグナルプロセッサ１２中に伝送し、該CPU１１によってエンコード及び圧縮を行う。また該CPU１１により該ビデオシグナルを該ストレージコントロールユニット１３から該リモートストレージ装置４中に保存する。
また、該ビデオデータ処理装置１から直接該伝送ユニット１４によりRTSP(Real Time Streaming Protocol)を使用して、無線或いは有線方式で該ネットワークブラウザ５に伝送することにより、該ネットワーク接続システムに対しアクセス可能なブラウザを介して使用者が該ディスプレイ装置３にて要請するアクセスコードを入力することにより、上述のようなノートブック型パソコンや卓上型パソコン、及び携帯電話等のディスプレイ装置３から必要とするビデオデータを即時に閲覧することができるようにする。
【００１３】
また、本考案は、該ビデオシグナルデータを、該伝送ユニット１４を通してリモートストレージ装置４中に保存し、インターネットに接続された該ディスプレイ装置の使用者が必要に応じて該ディスプレイ装置３から該アクセスコードを入力し、該ネットワークブラウザ５を介して該リモートストレージ装置４中にて保存されたビデオシグナルデータを読み取り、瞬時に必要なビデオデータを見られるようにする。
【図面の簡単な説明】
【００１４】
【図１】本考案のビデオ装置使用における構造説明図である。
【図２】本考案の使用状態を示す図である。
【符号の説明】
【００１５】
１  ビデオデータ処理装置
１１  CPU（中央プロセッサ）
１２  シグナルプロセッサ
１２１  ビデオ入力装置コントロールインターフェイス
１２２  ビデオ圧縮ユニット
１３  ストレージコントロールユニット
１４  伝送ユニット
２  外部ビデオ装置
３  ディスプレイ装置
４  リモートストレージ装置
５  ネットブラウザ
【図１】
0003109368.tif 000003
【図２】
0003109368.tif 000004